(57)【要約】【課題】調整操作部の操作位置にかかわらず、スロットルケーブルの引張量の調整操作の操作性を向上させることのできる携帯型エンジン作業機を提供する。【解決手段】バルブ開度調整機構１３０は、スロットルケーブル１１０の引張量を調整する操作を行う調整操作部１３３を有し、調整操作部１３３は、グリップ７の近傍に設けられ、操作杆２の周方向に操作可能である。これにより、調整操作部１３３の操作位置にかかわらず、グリップ７と操作部本体１３３ａとの距離が変化しないので、スロットルケーブル１１０の引張量の調整操作の操作性を向上させることが可能となる。【選択図】図８
2015086820.tif 000002
【特許請求の範囲】
【請求項１】
作業部と、
前記作業部を駆動するエンジンと、
柱状部の外周側に設けられ、作業者が把持するグリップと、
前記エンジンのスロットルバルブに接続されたスロットルケーブルと、
前記スロットルケーブルの引張量を調整して前記スロットルバルブの開度を調整するバルブ開度調整機構と、を備え、
前記バルブ開度調整機構は、前記スロットルケーブルの引張量を調整する操作を行う調整操作部を有し、
前記調整操作部は、前記グリップの近傍に設けられ、前記柱状部の周方向に操作可能である
ことを特徴とする携帯型エンジン作業機。
【請求項２】
前記エンジンをアイドル状態から前記作業部による作業が可能な状態まで、前記スロットルケーブルを引張する操作を行うスロットルレバーを備え、
前記バルブ開度調整機構は、前記スロットルレバーを所定の操作量操作した状態で、前記スロットルケーブルの引張量を調整する操作を行う
ことを特徴とする請求項１に記載の携帯型エンジン作業機。
【請求項３】
前記バルブ開度調整機構は、
前記スロットルレバーの近傍に回転自在に支持され、前記スロットルケーブルが接続されるケーブル接続部と前記スロットルレバーの操作力が作用する操作入力部とを有し、前記スロットルレバーの操作によって前記スロットルケーブルを引張する動作を行う引張リンクを具備し、
前記引張リンクの回転中心と前記ケーブル接続部との間の距離と、前記引張リンクの回転中心と前記操作入力部との間の距離と、の比を変更することで、所定の操作量の前記スロットルレバーの操作によって引張される前記スロットルケーブルの引張量を調整する
ことを特徴とする請求項２に記載の携帯型エンジン作業機。
【請求項４】
前記バルブ開度調整機構は、前記引張リンクの回転中心を移動させることによって、前記引張リンクの回転中心と前記ケーブル接続部との間の距離と、前記引張リンクの回転中心と前記操作入力部との間の距離と、の比を変更する
ことを特徴とする請求項３に記載の携帯型エンジン作業機。
【請求項５】
前記バルブ開度調整機構は、前記引張リンクの回転中心を移動させる操作が可能な引張量調整レバーを有し、
前記引張量調整レバーは、前記調整操作部によって操作される
ことを特徴とする請求項４に記載の携帯型エンジン作業機。
【発明の詳細な説明】
【技術分野】
【０００１】
本発明は、例えばエンジンの動力によって駆動する刈払機、チェーンソー、パワーブロワ等の携帯型エンジン作業機に関するものである。
【背景技術】
【０００２】
従来、この種の携帯型エンジン作業機としては、作業部と、作業部を駆動するエンジンと、柱状部の外周側に設けられ、作業者が把持するグリップと、エンジンのスロットルバルブに接続されたスロットルケーブルと、スロットルケーブルの引張量を調整してスロットルバルブの開度を調整するバルブ開度調整機構と、を備え、バルブ開度調整機構が、スロットルケーブルの引張量を調整する操作を行う調整操作部を有するものが知られている（例えば、特許文献１参照）。
【先行技術文献】
【特許文献】
【０００３】
【特許文献１】特許第４４９０３２２号公報
【発明の概要】
【発明が解決しようとする課題】
【０００４】
前記調整操作部は、グリップの近傍に設けられ、グリップの軸方向に移動自在となっている。前記携帯型エンジン作業機の使用者は、手でグリップを把持し、グリップを把持した手の親指によって調整操作部を操作することで、スロットルケーブルの引張量を調整している。このため、調整操作部は、移動可能な範囲内でグリップから離れた側に位置すると、使用者の手の親指が届きにくくなり、操作性に悪影響を及ぼすおそれがある。
【０００５】
本発明の目的とするところは、調整操作部の操作位置にかかわらず、スロットルケーブルの引張量の調整操作の操作性を向上させることのできる携帯型エンジン作業機を提供することにある。
【課題を解決するための手段】
【０００６】
本発明は、前記目的を達成するために、作業部と、前記作業部を駆動するエンジンと、柱状部の外周側に設けられ、作業者が把持するグリップと、前記エンジンのスロットルバルブに接続されたスロットルケーブルと、前記スロットルケーブルの引張量を調整して前記スロットルバルブの開度を調整するバルブ開度調整機構と、を備え、前記バルブ開度調整機構は、前記スロットルケーブルの引張量を調整する操作を行う調整操作部を有し、前記調整操作部は、前記グリップの近傍に設けられ、前記柱状部の周方向に操作可能である。
【０００７】
これにより、調整操作部の操作位置にかかわらず、グリップと調整操作部との距離が変化しない。
【発明の効果】
【０００８】
本発明によれば、調整操作部の操作位置にかかわらず、グリップと調整操作部との距離が変化しないので、スロットルケーブルの引張量の調整操作の操作性を向上させることが可能となる。
【図面の簡単な説明】
【０００９】
【図１】本発明の一実施形態を示す出力調整装置を備えた刈払機の斜視図である。
【図２】出力調整装置の斜視図である。
【図３】一部のハウジングを取り外した出力調整装置の側面図である。
【図４】出力調整装置の側面断面図である。
【図５】図３のＡ−Ａ´断面図である。
【図６】所定量のスロットルレバーの操作に対してスロットルケーブルの引張量を変更する構造の概略図である。
【図７】出力調整装置の操作方法を示す図である。
【図８】エンジンの出力調整方法を示す図である。
【図９】エンジンの出力調整方法を示す図である。
【図１０】エンジンの出力調整方法を示す図である。
【図１１】本発明のその他の例を示す一部のハウジングを取り外した出力調整装置の側面図である。
【発明を実施するための形態】
【００１０】
図１乃至図１０は、本発明の一実施形態を示すものである。なお、以下の実施形態は、本発明の好適な実施形態の例であるが、本発明はこれに限定されるものではなく、発明の要旨を逸脱しない範囲において種々の変形または変更が可能である。
【００１１】
本実施形態では、本発明の携帯型エンジン作業機の一例として、エンジン駆動の刈払機について説明する。
【００１２】
この刈払機１は、図１に示すように、前後方向に延びる棒状の操作杆２と、操作杆２の後端側に接続された駆動源としてのエンジン３と、操作杆２の前端側にギヤヘッド４を介して回動自在に取り付けられた円板状の作業部としての刈刃５と、を備えている。
【００１３】
操作杆２は、内部にドライブシャフト（図示せず）が回動自在に設けられている。ドライブシャフトの後端側には、エンジン３が連結されている。また、ドライブシャフトの前端側には、ギヤヘッド４が連結されている。
【００１４】
また、操作杆２の中央部のやや後側には、使用者が刈払機１を操作する際に、使用者が一方の手（例えば、左手）で保持するハンドル６が設けられている。ハンドル６は、操作杆２の上方及び左右両方に張り出す環状の部材である。ハンドル６は、上部側が後方に向くように、斜め後方に傾けられている。
【００１５】
操作杆２のエンジン３とハンドル６との間に位置する部分には、使用者が刈払機１を操作する際に、使用者が他方の手（例えば、右手）で保持するグリップ７が設けられている。グリップ７は、操作杆２の外周部を覆う円筒状の部材である。
【００１６】
操作杆２のグリップ７の前方に位置する部分には、使用者が他方の手でグリップ７を把持しながらエンジン３の出力を調整するための出力調整装置１００が設けられている。出力調整装置１００は、エンジン３の出力を調整するために、エンジン３に設けられたスロットルバルブ（図示せず）の開度を調整するものである。
【００１７】
出力調整装置１００は、図２乃至図５に示すように、操作杆２のグリップ７の前方に位置する部分に設けられたハウジング１０１と、エンジン３のスロットルバルブに連結されたスロットルケーブル１１０と、スロットルケーブル１１０を引張する操作を行うためのスロットルレバー１２０と、所定の操作量のスロットルレバー１２０の操作によって引張されるスロットルケーブル１１０の引張量を調整してスロットルバルブの開度を調整するバルブ開度調整機構１３０と、を備えている。
【００１８】
スロットルケーブル１１０は、一端部がスロットルバルブに接続され、他端部がバルブ開度調整機構１３０の後述する引張リンクに接続されている。スロットルケーブル１１０は、スロットルバルブとハウジング１０１との間を操作杆２に沿って延びるアウタチューブ１１１内を移動自在に設けられている。スロットルケーブル１１０は、他端部がアウタチューブ１１１の端部から離間する位置まで延びており、他端部をアウタチューブ１１１の径方向に移動させることが可能である。
【００１９】
スロットルレバー１２０は、操作杆２の下方を前後方向に延びる部材からなる。スロットルレバー１２０の前端側には、ハウジング１０１に支軸１２１を介して回転自在に支持される支持部１２０ａが設けられている。スロットルレバー１２０には、支持部１２０ａからグリップ７の下方を後方に延びるように形成され、使用者が他方の手で操作するための操作部１２０ｂが設けられている。操作部１２０ｂは、操作部１２０ｂを最大限上方に向けてスロットルレバー１２０を操作した場合に、グリップ７の下側に沿って延びるように形成されている。スロットルレバー１２０には、図４及び図５に示すように、支持部１２０ａから上方に延びるように形成され、使用者の操作部１２０ｂを操作した力をバルブ開度調整機構１３０の後述する引張リンクに伝達するための操作力伝達部１２０ｃを有している。操作力伝達部１２０ｃには、後述する引張リンクに係合する係合ピン１２０ｄが幅方向に延びるように設けられている。スロットルレバー１２０は、図４に示すように、圧縮ばね１２０ｅによって操作部１２０ｂがグリップ７から離れる方向に付勢されている。
【００２０】
バルブ開度調整機構１３０は、スロットルレバー１２０の操作に連動してスロットルケーブル１１０を引張する動作を行う引張リンク１３１と、引張リンク１３１に連結され、所定の操作量のスロットルレバー１２０の操作によるスロットルケーブル１１０の引張量を調整するための引張量調整レバー１３２と、引張量調整レバー１３２を使用者が操作するための調整操作部１３３と、を有している。
【００２１】
引張リンク１３１には、スロットルケーブル１１０の他端部が接続されるケーブル接続部１３１ａが一端部に設けられ、引張量調整レバー１３２に支軸１３４を介して回転自在に支持される支持部１３１ｂが他端部に設けられている。また、引張リンク１３１には、スロットルレバー１２０の係合ピン１２０ｄが当接する操作入力部としての当接面１３１ｃが、ケーブル接続部１３１ａと支持部１３１ｂとの間に設けられている。当接面１３１ｃは、ケーブル接続部１３１ａと支持部１３１ｂとの間に設けられた溝１３１ｄの側壁の前側に位置する部分である。
【００２２】
引張リンク１３１は、スロットルレバー１２０の操作によって係合ピン１２０ｄを当接面１３１ｃに当接させることで、支持部１３１ｂを中心に回転する。引張リンク１３１は、支持部１３１ｂを中心にケーブル接続部１３１ａを前方に移動させる方向に回転することで、スロットルケーブル１１０を引張する。
【００２３】
引張量調整レバー１３２は、上端側が前後方向に移動自在となるように、下端側が支軸１３５を介してハウジング１０１に回転自在に支持されている。引張量調整レバー１３２の上端部には、調整操作部１３３側に張り出す凸状に形成され、調整操作部１３３の後述する係合孔に係合する係合部１３２ａが設けられている。引張量調整レバー１３２の下端側には、前方に向かって延びるとともに、引張リンク１３１の支持部１３１ｂが支軸１３５を介して回転自在に連結された連結部１３２ｂが設けられている。
【００２４】
調整操作部１３３は、グリップ７の近傍に設けられ、使用者がグリップ７を把持した手の親指で操作するための操作部本体１３３ａを有している。操作部本体１３３ａは、外周部の一部が外側に突出した形状を有しており、操作杆２の上部側の所定範囲内を周方向に移動可能である。また、操作部本体１３３ａの前方には、調整操作部１３３の操作によって、引張量調整レバー１３２の係合部１３２ａを前後方向に移動させるための操作部１３３ｂが設けられている。操作部１３３ｂは、引張量調整レバー１３２の係合部１３２ａが係合する長孔状の係合孔１３３ｃを有している。係合孔１３３ｃは、操作部本体１３３ａ側から前方に向かって斜めに延びるように形成されている。引張量調整レバー１３２の係合部１３２ａは、調整操作部１３３を操作杆２の周方向に移動させることによって係合孔１３３ｃに沿って移動し、前後方向に移動する。
【００２５】
調整操作部１３３は、操作部本体１３３ａの周方向の操作可能な範囲内の任意の位置で姿勢を保持することが可能である。スロットルレバー１２０によってスロットルケーブル１１０を引張する操作を行う際には、調整操作部１３３の係合孔１３３ｃに係合する引張量調整レバー１３２の姿勢も保持される。
【００２６】
調整操作部１３３を左側に向けて操作すると、引張量調整レバー１３２の連結部１３２ｂは下方に移動する。連結部１３２ｂが下方に移動すると、連結部１３２ｂに連結された引張リンク１３１も下方に移動し、引張リンク１３１の支持部１３１ｂとスロットルレバー１２０の係合ピン１２０ｄとの間の距離が大きくなる。
【００２７】
また、調整操作部１３３を右側に向けて操作すると、引張量調整レバー１３２の連結部１３２ｂは上方に移動する。連結部１３２ｂが上方に移動すると、連結部１３２ｂに連結された引張リンク１３１も上方に移動し、引張リンク１３１の支持部１３１ｂとスロットルレバー１２０の係合ピン１２０ｄとの間の距離が小さくなる。
【００２８】
引張量調整レバー１３２は、調整操作部１３３の操作によって引張リンク１３１を移動させることで、引張リンク１３１の回転中心となる支持部１３１ｂと当接面１３１ｃのスロットルレバー１２０の係合ピン１２０ｄが当接する部分（操作入力部）の間の距離Ｄ１と、支持部１３１ｂとケーブル接続部１３１ａとの間の距離Ｄ２と、の比を調整することが可能である。
【００２９】
すなわち、図６（ｂ）の状態において、支持部１３１ｂとケーブル接続部１３１ａとの間の距離Ｄ２に対して、支持部１３１ｂと当接面１３１ｃのスロットルレバー１２０の係合ピン１２０ｄが当接する部分（操作入力部）との間の距離Ｄ１の割合を小さくすると、図６（ｃ）に示すように、所定の操作量Ｍのスロットルレバー１２０に対してスロットルケーブル１１０の引張量Ｐが大きくなる。
【００３０】
また、図６（ｂ）の状態において、支持部１３１ｂとケーブル接続部１３１ａとの間の距離Ｄ２に対して、支持部１３１ｂと当接面１３１ｃのスロットルレバー１２０の係合ピン１２０ｄが当接する部分（操作入力部）との間の距離Ｄ１の割合を大きくすると、図６（ａ）に示すように、所定の操作量Ｍのスロットルレバー１２０に対してスロットルケーブル１１０の引張量Ｐが小さくなる。
【００３１】
また、本実施形態では、引張リンク１３１の当接面１３１ｃのケーブル接続部１３１ａ側を、前方に張り出すように形成している。これにより、支持部１３１ｂとケーブル接続部１３１ａとの間の距離Ｄ２に対して、支持部１３１ｂと当接面１３１ｃのスロットルレバー１２０の係合ピン１２０ｄが当接する部分（操作入力部）との間の距離Ｄ１の割合を最大限大きくすると、スロットルレバー１２０のスロットルケーブル１１０を引張する操作に遊びが生じて引張量Ｐが小さくなる。
【００３２】
以上のように構成された携帯型エンジン作業機としての刈払機１において、エンジン３を始動して、スロットルレバー１２０を操作しない状態では、調整操作部１３３の操作位置にかかわらず、エンジン３はアイドル運転の状態となる。
【００３３】
エンジン３がアイドル運転の状態において、刈払機１による作業を行う場合には、使用者は、一方の手（例えば、左手）でハンドル６を把持するとともに、他方の手(例えば、右手)でグリップ７を把持する。このとき、使用者は、他方の手でグリップ７を把持する際に、図７に示すように、スロットルレバー１２０の操作部１２０ｂを最大限グリップ７側に操作し、グリップ７及びスロットルレバー１２０の操作部１２０ｂをまとめて把持する。この刈払機１は、図８に示すように、使用者がグリップ７とともに把持することによって操作されるスロットルレバー１２０の操作量で、作業を行う。
【００３４】
刈払機１は、使用者がグリップ７及びスロットルレバー１２０の操作部１２０ｂを同時に把持した状態（図８）において、エンジン３の出力の調整を行うことが可能である。エンジン３の出力の調整は、グリップ７及びスロットルレバー１２０の操作部１２０ｂを把持した手の親指で、調整操作部１３３を左右方向に移動させることにより行う。
【００３５】
調整操作部１３３が移動可能な範囲の左右方向中央部の位置（図６（ｂ）の状態）から、エンジン３の出力を大きくする場合には、図８の矢印Ｒに示すように、調整操作部１３３を右方向に移動させる。調整操作部１３３を右方向に移動させると、引張リンク１３１は上方に移動し、引張リンク１３１の回転中心となる支持部１３１ｂと当接面１３１ｃに当接している係合ピン１２０ｄとの距離が小さくなる。これにより、図９に示すように、支持部１３１ｂとケーブル接続部１３１ａとの間の距離Ｄ２に対して、支持部１３１ｂと当接面１３１ｃのスロットルレバー１２０の係合ピン１２０ｄが当接する部分（操作入力部）との間の距離Ｄ１の割合が小さくなり、所定の操作量Ｍのスロットルレバー１２０に対するスロットルケーブル１１０の引張量Ｐが大きくなる（図６（ｃ）の状態）。スロットルケーブル１１０の引張量Ｐが大きくなると、スロットルバルブの開度が大きくなるため、エンジン３の出力が大きくなる。
【００３６】
また、調整操作部１３３が移動可能な範囲の左右方向中央部の位置（図６（ｂ）の状態）から、エンジン３の出力を小さくする場合には、図８の矢印Ｌに示すように、調整操作部１３３を左方向に移動させる。調整操作部１３３を左方向に移動させると、引張リンク１３１は下方に移動し、引張リンク１３１の回転中心となる支持部１３１ｂと当接面１３１ｃに当接している係合ピン１２０ｄとの距離が大きくなる。これにより、図１０に示すように、支持部１３１ｂとケーブル接続部１３１ａとの間の距離Ｄ２に対して、支持部１３１ｂと当接面１３１ｃのスロットルレバー１２０の係合ピン１２０ｄが当接する部分（操作入力部）との間の距離Ｄ１の割合が大きくなり、所定の操作量Ｍのスロットルレバー１２０に対するスロットルケーブル１１０の引張量Ｐが小さくなる（図６（ａ）の状態）。スロットルケーブル１１０の引張量Ｐが小さくなると、スロットルバルブの開度が小さくなるため、エンジン３の出力が小さくなる。
【００３７】
バルブ開度調整機構１３０は、支持部１３１ｂとケーブル接続部１３１ａとの間の距離Ｄ２に対する支持部１３１ｂと当接面１３１ｃのスロットルレバー１２０の係合ピン１２０ｄが当接する部分（操作入力部）との間の距離Ｄ１の割合を変更することによって、所定の操作量Ｍのスロットルレバー１２０に対するスロットルケーブル１１０の引張量Ｐを変更するようにしている。このため、スロットルレバー１２０の操作力がスロットルケーブル１１０を引張する方向に作用し始めるスロットルレバー１２０の操作量は、引張量調整レバー１３２の設定位置にかかわらず一定となる。
【００３８】
このように、本実施形態の携帯型エンジン作業機では、バルブ開度調整機構１３０は、スロットルケーブル１１０の引張量を調整する操作を行う調整操作部１３３を有し、調整操作部１３３は、グリップ７の近傍に設けられ、操作杆２の周方向に操作可能である。
これにより、調整操作部１３３の操作位置にかかわらず、グリップ７と操作部本体１３３ａとの距離が変化しないので、スロットルケーブル１１０の引張量の調整操作の操作性を向上させることが可能となる。
【００３９】
また、バルブ開度調整機構１３０は、スロットルレバー１２０を所定の操作量操作した状態で、スロットルケーブル１１０の引張量を調整する操作を行う。
これにより、刈払機１を使用中の使用者が作業を行いながら、所定の操作量Ｍのスロットルレバー１２０の操作によって引張されるスロットルケーブル１１０の引張量Ｐを調整することができるので、作業効率の向上を図ることが可能となる。
【００４０】
また、バルブ開度調整機構１３０は、スロットルレバー１２０の前端部の近傍に回転自在に支持され、スロットルケーブル１１０が接続されるケーブル接続部１３１ａとスロットルレバー１２０の操作力が作用する当接面１３１ｃとを有し、スロットルレバー１２０の操作によってスロットルケーブル１１０を引張する動作を行う引張リンク１３１を有し、引張リンク１３１の回転中心とケーブル接続部１３１ａとの間の距離Ｄ２と、引張リンク１３１の回転中心と当接面１３１ｃの係合ピン１２０ｄが当接する部分との間の距離Ｄ１と、の比を変更することで、所定の操作量Ｍのスロットルレバー１２０の操作によって引張されるスロットルケーブル１１０の引張量Ｐを調整している。
これにより、スロットルレバー１２０の操作力がスロットルケーブル１１０を引張する方向に作用し始めるスロットルレバー１２０の操作量を一定とすることができるので、エンジン３の出力がアイドル状態から変化し始めるスロットルレバー１２０の操作量が一定となり、使用者の操作性及び安全性を向上させることが可能となる。
【００４１】
また、バルブ開度調整機構１３０は、引張リンク１３１の回転中心となる支持部１３１ｂを調整操作部１３３によって移動させることによって、引張リンク１３１の回転中心とケーブル接続部１３１ａとの間の距離Ｄ２と、引張リンク１３１の回転中心と当接面１３１ｃの係合ピン１２０ｄが当接する部分との間の距離Ｄ１と、の比を変更している。
これにより、簡易な構造によって、所定の操作量Ｍのスロットルレバー１２０の操作によって引張されるスロットルケーブル１１０の引張量Ｐを調整することができるので、製造コストの低減を図ることが可能となる。
【００４２】
尚、前記実施形態では、携帯型エンジン作業機の一例として刈払機１に本発明を適用したものを示したが、これに限られるものではない。本発明は、例えば、チェーンソー、パワーブロワ等の携帯型エンジン作業機に対しても適用することが可能である。
【００４３】
また、前記実施形態では、引張リンク１３１の当接面１３１ｃのケーブル接続部１３１ａ側を、前方に張り出すように形成したものを示したが、これに限られるものではない。
図１１に示すように、当接面１３１ｅをケーブル接続部１３１ａと支持部１３１ｂとの間で平面状に形成し、スロットルレバー１２０のスロットルケーブル１１０を引張する操作に遊びが生じないようにしてもよい。この場合には、スロットルレバー１２０の操作量とスロットルケーブル１１０の引張量の関係を、支持部１３１ｂとケーブル接続部１３１ａとの間の距離Ｄ２に対する支持部１３１ｂと係合ピン１２０ｄとの間の距離Ｄ１の割合により正確に関連付けることが可能である。
【００４４】
また、前記実施形態では、引張リンク１３１の支持部１３１ｂを移動させることによって、引張リンク１３１の回転中心とケーブル接続部１３１ａとの間の距離Ｄ２と、引張リンク１３１の回転中心と当接面１３１ｃの係合ピン１２０ｄが当接する部分との間の距離Ｄ１と、の比を変更するようにしたものを示したがこれに限られるものではない。引張リンク１３１の回転中心とケーブル接続部１３１ａとの間の距離Ｄ２と、引張リンク１３１の回転中心と当接面１３１ｃの係合ピン１２０ｄが当接する部分との間の距離Ｄ１と、の比が変更可能であれば、例えば、引張リンク１３１の回転中心としての支持部１３１ｂをハウジング１０１に回転自在に支持し、スロットルレバー１２０の回転中心を移動可能とすることで、引張リンク１３１の回転中心とケーブル接続部１３１ａとの間の距離Ｄ２と、引張リンク１３１の回転中心と当接面１３１ｃの係合ピン１２０ｄが当接する部分との間の距離Ｄ１と、の比を変更するようにしてもよい。
【００４５】
また、前記実施形態では、外周部の一部が外側に突出した形状の操作部本体１３３ａを示したが、これに限られるものではない。操作杆２の周方向に操作可能であれば、操作部本体を、例えば、外周部に滑り止め用の溝が設けられた環状に形成するようにしてもよい。
【００４６】
また、前記実施形態では、操作杆２から上方及び左右両側に張り出す環状のハンドル６と、操作杆２のエンジン３とハンドル６との間に設けられたグリップ７と、を有する刈払機１を示したが、これに限られるものではない。例えば、操作杆から上方及び左右両側に張り出すＵ字状に湾曲したハンドルと、ハンドルの両端部に設けられたグリップと、を有する刈払機に対しても本発明を適用可能である。
【符号の説明】
【００４７】
１…刈払機、２…操作杆、３…エンジン、５…刈刃、１００…出力調整装置、１１０…スロットルケーブル、１２０…スロットルレバー、１３０…バルブ開度調整機構、１３１…引張リンク、１３１ａ…ケーブル接続部、１３１ｂ…支持部、１３１ｃ…当接面、１３２…引張量調整レバー、１３３…調整操作部。
【図１】
2015086820.tif 000003
【図２】
2015086820.tif 000004
【図３】
2015086820.tif 000005
【図４】
2015086820.tif 000006
【図５】
2015086820.tif 000007
【図６】
2015086820.tif 000008
【図７】
2015086820.tif 000009
【図８】
2015086820.tif 000010
【図９】
2015086820.tif 000011
【図１０】
2015086820.tif 000012
【図１１】
2015086820.tif 000013